(57)【要約】【課題】  画像形成用光走査装置において、複数の光ビームと複数段の回転多面鏡による光偏向により、各被走査面上に均一化された光スポットを結像し、走査ラインの曲がりやビーム径の不均一を低減し、レイアウト性に優れ、高品位な画像記録が得られる光走査装置を得る。【解決手段】  複数の光源手段からの光ビームを、共通の偏向手段により走査し、各光源手段に対応した被走査面にそれぞれ結像する結像光学系を有する光走査装置において、前記偏向手段は、回転軸と直交する平面に対して、偏向面の法線角度が異なる複数段の回転多面鏡を備えるとともに、前記結像光学系を構成する光学素子のうち、偏向手段に最も近い光学素子は、前記複数の光源手段からの光ビームにより共用される光学素子である。【選択図】  図２
2006065126.tif 000002
【特許請求の範囲】
【請求項１】
複数の光源手段から出射された光ビームを、共通の偏向手段により走査し、前記各光源手段に対応した被走査面にそれぞれ結像する結像光学系を有する光走査装置において、前記偏向手段は、回転軸と直交する平面に対して、偏向面の法線角度が異なる複数段の回転多面鏡を備えるとともに、前記結像光学系を構成する光学素子のうち、前記偏向手段に最も近い光学素子は、前記複数の光源手段からの光ビームにより共用される光学素子であることを特徴とする光走査装置。
【請求項２】
請求項１記載の光走査装置において、前記複数段の回転多面鏡のうち、少なくとも１段の偏向面の法線が、回転軸と直交する平面に対して平行となるように前記回転多面鏡が配備されることを特徴とする光走査装置。
【請求項３】
請求項１乃至２記載の光走査装置において、前記複数段の回転多面鏡のうち、少なくとも１対の偏向面の法線角度が回転軸と直交する平面に対して対称となるように前記回転多面鏡が配置されることを特徴とする光走査装置。
【請求項４】
請求項１乃至３のいずれか１項に記載の光走査装置において、前記複数段の回転多面鏡の偏向面の法線角度のそれぞれの光束の回転軸と直交する平面に対する角度がいずれも５度以内であることを特徴とする光走査装置。
【請求項５】
請求項１に記載の光走査装置において、偏向反射面の法線に対して副走査方向に角度を持って入射する光ビームが通過する前記結像光学系を構成する光学素子の少なくとも１面に、副走査断面が曲率を有さず、主走査方向に沿って副走査方向に異なるチルト偏芯量を与えた特殊チルト偏芯面を備えることを特徴とする光走査装置。
【請求項６】
請求項５記載の光走査装置において、前記光学素子は、前記偏向手段に最も近い位置に配置された光学素子であることを特徴とする光走査装置。
【請求項７】
請求項１または６に記載の光走査装置において、上記結像光学系を構成する偏向手段に最も近い光学素子は、副走査方向に集束力を持たないことを特徴とする光走査装置。
【請求項８】
請求項１乃至７のいずれか１項に記載の光走査装置と、各光源手段に対応した像担持体と、像担持体上に形成された潜像を各色トナーで顕像化する現像手段と、現像された各色画像を重ね合わせて転写する転写手段とを有することを特徴とする画像形成装置。
【発明の詳細な説明】
【技術分野】
【０００１】
本発明は、デジタル複写機及びレーザプリンタ等の書込系に用いられる光走査装置に関し、特に複数色のトナー像を重ね合わせることによりカラー画像を形成するフルカラー画像形成装置に関する。
【背景技術】
【０００２】
電子写真技術をもちいたデジタル複写機及びレーザプリンタ等の画像形成装置においては、感光体の回転に伴って潜像形成、現像、転写が行われるのが一般的である。
近年、上述したような画像形成装置には高速化と高解像度が要望されており、複数の感光体ドラムを転写体の搬送方向に沿って配列し、各色の画像形成部で形成したトナー像を重ね合わせることでカラー画像を形成するカラー画像形成装置では、各色の感光体ドラムに対し光走査装置を各々配置して画像形成を行う複数のレーザ光源によるマルチレーザプリンタが主流となってきている。
装置の小型化と光ビームのマルチ化によって、ますます、光ビーム間の距離は狭まる傾向にあり、各感光体面へのビームを分離することが困難となっている。解決手段として、偏向面に対して光ビームが傾いて入射する斜入射光学系が採られているが、ビームを分離するために偏向面に対する斜入射角度を大きくすると、偏向面への光源からの入射角も大きくなる。斜入射によって複数の光ビームを偏向後に分離できても、偏向前では斜入射角分の傾きで光源から偏向反射面に入射することになり、それぞれの光ビームが交叉したり、光線間隔や光源が近接することになるなど、装置のレイアウト構成が厳しくなる。
複数の光ビームを所望の角度で偏向面に入射させるための光学素子等の特別な手段が必要である。また、それぞれの斜入射角による、ビーム光束断面や光路長の違いによって光強度に変動が発生するためそれぞれのビームに対応した屈折面を有する光学素子が必要である。
そして、斜入射方式では、それぞれの光ビームの偏向反射面への入射角が異なる場合に、斜入射角の違いによるサグによって、反射点が主走査方向への偏向走査に伴って副走査方向に移動してしまい、被走査面等で走査線曲がりが生じることになる。斜入射角の違いによって走査線曲がりの発生量が異なるので、各感光体に形成される潜像を各色のトナーで現像して重ね合わせ可視化すると、色ずれとなって現れて画像の品質を劣化させる。光束が走査結像レンズにねじれて入射することによって、波面収差が増大し、周辺での像高で光学性能が著しく劣化してビームスポット径が大きくなり高画質化を妨げる要因になる。
従来では、光源が一つの場合の走査線曲がりの解決法として、入射位置に応じて結像レンズの補正屈折面を設定する方法が知られている（例えば、特許文献１参照）。また、補正反射面の偏向光束の入射位置における副走査断面の固有傾きに応じて走査線曲がりを補正する方法も提案されている（例えば、特許文献２参照）。
【特許文献１】特開平１１−１４９３２号公報
【特許文献２】特開平１１−３８３４８号公報
【発明の開示】
【発明が解決しようとする課題】
【０００３】
本発明は、上述した実情を考慮してなされたもので、ポリゴンの回転軸に直交する面に対して偏向反射面が異なる角度からなる複数段の回転多面鏡の偏向手段と、最もポリゴン側の光学素子を複数の光源手段からの光ビームで共用することにより、光束に対応した走査線の曲がり、像面湾曲、光路長、被走査面におけるビームスポット位置、光強度分布、ビーム径を適切にし、各被走査面上に均一化された光スポットを結像するようにし、各被走査面上に均一化された光スポットを結像することを可能とし、各被走査面間での走査ラインの曲がりやビーム径の不均一を低減し、レイアウト性に優れ、高品位な画像記録が得られる光走査装置、それを使用した画像形成装置を得ることを目的とする。
【課題を解決するための手段】
【０００４】
上記の課題を解決するために、請求項１に記載の発明は、複数の光源手段から出射された光ビームを、共通の偏向手段により走査し、前記各光源手段に対応した被走査面にそれぞれ結像する結像光学系を有する光走査装置において、前記偏向手段は、回転軸と直交する平面に対して、偏向面の法線角度が異なる複数段の回転多面鏡を備えるとともに、前記結像光学系を構成する光学素子のうち、前記偏向手段に最も近い光学素子は、前記複数の光源手段からの光ビームにより共用される光学素子であることを特徴とする。
また、請求項２に記載の発明は、請求項１記載の光走査装置において、前記複数段の回転多面鏡のうち、少なくとも１段の偏向面の法線が、回転軸と直交する平面に対して平行となるように前記回転多面鏡が配備されることを特徴とする。
また、請求項３に記載の発明は、請求項１乃至２記載の光走査装置において、前記複数段の回転多面鏡のうち、少なくとも１対の偏向面の法線角度が回転軸と直交する平面に対して対称となるように前記回転多面鏡が配置されることを特徴とする。
また、請求項４に記載の発明は、請求項１乃至３のいずれか１項に記載の光走査装置において、前記複数段の回転多面鏡の偏向面の法線角度のそれぞれの光束の回転軸と直交する平面に対する角度がいずれも５度以内である光走査装置を特徴とする。
また、請求項５に記載の発明は、請求項１に記載の光走査装置において、偏向反射面の法線に対して副走査方向に角度を持って入射する光ビームが通過する前記結像光学系を構成する光学素子の少なくとも１面に、副走査断面が曲率を有さず、主走査方向に沿って副走査方向に異なるチルト偏芯量を与えた特定チルト偏芯面を備える光走査装置を特徴とする。
また、請求項６に記載の発明は、請求項５記載の光走査装置において、前記光学素子は、前記偏向手段に最も近い位置に配置された光学素子であることを特徴とする。
また、請求項７に記載の発明は、請求項１または６に記載の光走査装置において、上記結像光学系を構成する偏向手段に最も近い光学素子は、副走査方向に集束力を持たない光走査装置を特徴とする。
また、請求項８に記載の発明は、請求項１乃至７のいずれか１項に記載の光走査装置と、各光源手段に対応した像担持体と、像担持体上に形成された潜像を各色トナーで顕像化する現像手段と、現像された各色画像を重ね合わせて転写する転写手段とを有する画像形成装置を特徴とする。
【発明の効果】
【０００５】
本発明によれば、複数の光源手段からの光ビームを、共通の偏向手段により走査し、各光源手段に対応した被走査面にそれぞれ結像する結像光学系を有する光走査装置において、前記偏向手段は、回転軸と直交する平面に対して、偏向面の法線角度が異なる複数段の回転多面鏡を備えるとともに、前記結像光学系を構成する光学素子のうち、偏向手段に最も近い光学素子は、前記複数の光源手段からの光ビームにより共用される光学素子であることを特徴とする光走査装置により、回転軸に垂直な面に対して偏向反射面が異なる角度からなる複数段の回転多面鏡の偏向手段と、それぞれの光ビームを副走査方向で分離し、最もポリゴン側の光学素子を複数の光源手段からの光ビームで共用し、各光ビームにおける結像レンズへの入射角や光路長等の入射条件の違いを、副走査断面が曲率を有さず、主走査方向に沿って副走査方向に異なるチルト偏芯量を与えた特殊チルト偏心面を備える結像レンズによって、偏向手段から副走査方向に異なる角度で偏向分離されたそれぞれの光束に対応した走査線曲がり、像面湾曲、光路長、被走査面におけるビームスポット位置、光強度分布、ビーム径を適切にし、各被走査面上に均一化された光スポットを結像することが可能となる。
また、複数の光源手段からの光ビームに対して入射光軸を傾けるための特別な措置をとらなくても、角度の異なる複数段の回転多面鏡の偏向反射面によって偏向された後に光束を分離するための十分な間隔がとれるようにすること、法線角度が異なることによって生じる各被走査面間での走査ラインの曲がりやビーム径の不均一を低減すること、これらにより、レイアウト性に優れ、高品位な画像記録が行なえる光走査装置を提供することができる。
また、異なる傾きの複数段からなる回転多面鏡を用いているので、一段の回転多面鏡のときよりも、光ビームをより多くの異なる被走査面に偏向走査することができ、回転数を下げてモーターを駆動することができ、消費電力を削減することができる。
結像レンズを層状に重ねた場合には各被走査面に対する光ビームの通過する光学素子を共通化することができる。さらに、複数段重ねる構造においては一体成形によって、光学素子の共有をすることができ、光ビーム毎での光学素子間での温度分布差による走査線曲がりや位置ずれや波面収差の傾向を同じくすることによって、色ずれや色味の違いを減少させることが可能となる。
【発明を実施するための最良の形態】
【０００６】
以下、図面を参照して、本発明の実施形態を詳細に説明する。図１に、複数の光源手段からの光ビームを光学素子で共用した光学素子（結像レンズ）をもちいた光走査装置を示す。回転軸と直交する平面に対して、偏向面の法線角度が異なる複数段の回転多面鏡１０１からなる光走査装置において、複数段の回転多面鏡へ入射する複数の光ビーム１０２、１０３に対応して入射光軸を傾けるなど特別な処置をとらずとも、偏向後の光ビームを偏向面の傾きに応じて分離することができる。よって、それぞれの光束を各被走査面に分離するための分離光学素子を配置するのに十分な距離を取ることができる。
平行光束を上記回転多面鏡の各段における副走査方向の傾きβの違いによって、副走査方向に２βの角度で分離することができる。ここで、偏向手段に最も近い結像光学系の光学素子１０４は、各光ビームの副走査方向の間隔は小さいので、異なる被走査面に向かう複数の光ビームが比較的近距離間隔で通過する構成にすることができる。回転多面鏡は高速回転駆動するモーター部及び回路基板からなり、モーター部の発熱によって、回転多面鏡に最も近い結像レンズの一部が加熱され、光学箱の気流や結像レンズの形状によって、結像レンズに温度分布が生じるけれども、温度変動等の外乱による光学素子の伸縮変形による光ビームの変動がそれぞれの光ビームで同様の傾向となり、色ずれを抑えることができる。
偏向手段に最も近い光学素子を異なる被走査面に向かうすべての光ビームが通過するようにしたものを、片側走査方式という。片側走査方式では、走査結像レンズが主走査方向に温度分布を持っていても、主走査方向のビームスポット位置ずれは異なる被走査面でほぼ一定になり、連続プリントのときの色味の変化や色ずれの発生を抑制する。
法線角度が異なることによって生じた各被走査面間での走査線の曲がりや光スポットの変動（ビーム径、ビーム位置）の不均一を複数段の回転多面鏡の各段に対応して、ポリゴンから近傍の光学素子である結像光学素子も複数段に形成すると、複数段に形成された各光ビーム通過領域では、それぞれの光ビームの特性に合わせた結像光学系を構成することができる。
結像光学素子の入射面、反射面が複数段の境界で不連続な面となるが、それぞれの光束の通過する領域での設計の自由度を広げるとともに、光学素子を共用することによって、温度変動等の外乱による光学素子の伸縮変形による光ビームの変動にそれぞれの光ビームで同様の傾向となり、色ずれを抑えることができる。
【０００７】
図２に、偏向反射面からの複数の光ビーム１０７、１０８が平行になるように、各偏向面の角度を設定した複数段からなる偏向手段１０５を用いた光走査装置を示す。斜入射角が２β異なる入射光束に対して、偏向反射面をβ傾けることによって、偏向反射面で偏向走査された光束を他の光束と平行にすることができる。偏向後のビーム光束の光軸が平行になれば、結像光学系に用いる光学素子１０６を各光ビーム間で、同一型のものを使用することもでき、また、層状に重ねた結像光学素子も使用することができる。
光学素子を共通化することによって、一段の光学設計を他の複数段にも利用することができ、設計の短縮や、製造金型の共通化によるコスト削減を図ることができる。光学素子を層状に重ねる方法としては、ＵＶ接着により光学素子を層状に重ねても良い。複数の光ビームの通過領域を製造段階から一体成形することもできる。一体成形にすることによって、製造段階の工数や取付工数を削減でき、光ビームの光軸間隔に合わせることも容易である。共用することによって、光学素子内の温度分布の影響を軽減することができるので、温度変動による通過領域ごとでの屈折率分布の違いや光学素子の変形を生じにくくすることができ、より良好な画像出力を得ることができる。
【０００８】
図３に偏向反射面の回転軸に対する角度の異なる回転多面鏡の例を示す。それぞれの偏向反射面の境界がつながった回転多面鏡１０９と、偏向反射面の境界が一定の間隔を持つ回転多面鏡１１０である。境界部分を連続した構成にすることで、回転時の風切り音を削減することができる。また、抵抗を少なくするのでポリゴン回転のための消費電力を削減することができる
また、間隔を持つ回転多面鏡１１０により、像坦持体の間隔を広くするなど、光束間隔を増減させる場合に、偏向反射面の間隔で調整することができる。図３（ａ）、（ｂ）の下方の回転多面鏡１０９ａ、１１０ａのような回転軸と直交する平面に対して、偏向面の法線が平行であれば、回転多面鏡の回転軸の傾きなどの変動を、前記偏向面による光ビームを測定することによって計測することができ、回転多面鏡の回転状態をモニターすることができる。回転多面鏡の反射面の変動は、被走査面への光スポットの位置ずれやビーム径の変動の原因となるためである。
図４に対称な偏向反射面からなる回転多面鏡１２０を示す。回転多面鏡の偏向面を対称型とすることによって、対称な偏向反射面に入射したそれぞれの光ビームは、等角度の斜入射角で入射することになるので、斜入射角の違いよる、光スポットの形状の変化や光強度の変動を抑えることができる。それにより、結像光学系の光学素子を複数の光ビームで同じものを使うことができ、設計期間の短縮と、光学素子の製造コストを低く抑えることができる。
図５に各偏向反射面の法線角度の条件の説明図を示す。それぞれの偏向面に対する斜入射角の違い（β1＋β2）を一定の範囲内（５度以内）にすることにより、斜入射角を補正する光学素子での副走査方向のチルト角の補正量を小さくすることができ、それぞれの光ビームの光強度やビーム形状の変動等を一定の範囲に抑えることができる。β1＋β2≦５°により被走査面に結像する光スポットの変動を軽減することができる。
【０００９】
図６に、斜入射による走査線曲がりの図を示す。回転多面鏡の偏向反射面に光ビーム２０１が斜入射すると、回転多面鏡の回転に伴う偏向反射面のサグの影響で、副走査方向に反射点２０２がずれることによって、走査線曲がり２０３が発生する。
図７に、主走査方向に沿って副走査方向の異なるチルト偏芯量を与えた特殊チルト偏芯面を示す。特殊チルト偏心面を採用することによって、結像光学系における結像レンズの両端にいくほど顕著となる主走査方向の曲がりを、結像レンズの位置に応じてチルト偏心の傾きを設定することによって、斜入射により光走査装置で生じていた走査線曲がりと波面収差の劣化を有効に補正することができる。
主走査方向の位置によって、副走査方向の面の傾きが変化し全体としてねじれた形状となっている。このような面によって、波面収差によるビーム径の劣化と周辺像高におけるビーム径の太り、走査線曲がりの補正をともに良好に補正することができる。複数段の偏向面による光源から回転多面鏡までに光軸を傾ける特殊な手段も必要とせずシンプルなレイアウトを構成でき、同時に、走査線曲がりや波面収差等の光学性能を補正することができる。
偏向反射面で走査された像高の中央部と両端の光束の入射角度のずれをできる限り手前で補正することによって、補正量を最小にすることができる。偏向反射面からはなれるほど、結像光学系の折返しミラーや他の結像レンズ等によって、斜入射の影響が増幅されるため、回転多面鏡に最も近い光学素子において、補正することが有効である。
また、結像光学系を構成する偏向手段に最も近い光学素子は、副走査方向に集束力持たない光走査装置であることにより、各偏向面からのビーム光束の入射角の違いによって結像特性が変わることがないので、ビームの副走査方向における傾きを複数に振り分けた場合でも、結像特性を均一化することができ、高品位な画像形成が行える。
【００１０】
図８に、本発明を利用した画像形成装置を示す。光走査装置３０５から、各色の感光体３２０Ｙ、３２０Ｍ、３２０Ｃ、３２０Ｋが併設されており、レーザビームＬ１〜４がそれぞれビームスポットにより潜像を形成する。現像装置３０６、を経て中間転写ベルト３２１に転写される。転写ローラにはローラ３０２により搬送されている。中間転写ベルト３２１は各色の画像を順次重ね合わせて転写して、中間転写ベルト３２１上にカラー画像を形成する。その後、給紙トレイ３１１から転写紙が矢印ＣＣ方向に搬送されカラー画像が転写される。カラー画像が転写された転写紙は、定着器３１４により定着処理され、フルカラー画像として排紙される。
本発明を用いた光走査装置を用いて画像形成装置を構成することによって、色づれ等の少ない良好な画像出力を得ることができる。また、光源からの光ビームを偏向走査する副走査に反射角の異なる複数段からなる回転多面鏡をそなえ、各光源手段に対応した像担持体と、像担持体上に形成された潜像を各色トナーで顕像化する現像手段と、現像された各色画像を重ね合わせて転写する転写手段とを有する画像形成装置において、斜入射角を設定するための特別な手段を必要とせず、少ない部品構成でカラー画像形成装置を構成でき生産効率の向上し、組み付け工数の低減を図ることができる。偏向手段に最も近いレンズは異なる被走査面に向かう複数の光束における斜入射の影響を改善しているので、主走査方向のビームスポット位置は、異なる被走査面でほぼ同一となり、色ずれの発生を抑制することができる。
【００１１】
図９は、光走査装置の実施の１形態を説明するための図で、（ａ）は主走査対応方向から見た平面図、（ｂ）は副走査対応方向から見た正面図である。図９（ａ）において、光源としての半導体レーザ４１０から放射された発散性の光束はカップリングレンズ４１１により以後の光学系に適した光束形態に変換される。カップリングレンズ４１１により変換された光束形態は、平行光束であってもよいし、弱い発散性あるいは弱い集束性の光束であってもよい。
カップリングレンズ４１１からの光束は、絞り４１２を通過した後シリンドリカルレンズ４１３により副走査方向に集光され、高速で等速度回転駆動されるポリゴンミラー（回転多面鏡）４１４の偏向反射面に入射するように構成されている。ここでは、シリンドリカルレンズ４１３を第１光学系とし、後で説明する走査光学系４１６を第２光学系とする。上記ポリゴンミラー４１４は光偏向器を構成している。光源４１０側からの光束は、ポリゴンミラー４１４の偏向反射面４１５の法線を含む回転軸に直交する平面Ａに対して傾いて入射する。すなわち、上記偏向反射面４１５に対し副走査方向に斜めに入射する。従って、偏向反射面により反射された光束も、平面Ａに対して傾いている。図９に示す例では、図９（ｂ）に示すように光源から複数の光束が放射され、各光束が共通の偏向反射面４１５で偏向されるようになっている。ポリゴンミラー４１４の偏向反射面の法線回転軸に直交する平面に対し光ビームに角度をつけるには（副走査方向に斜入射させるには）、光源４１０カップリングレンズ４１１などを含む光源装置、カップリングレンズ４１１を含むカップリング光学系、あるいは、第１光学系を構成するカップリングレンズ４１１を所望の角度に傾けて配置してもよいし、折返しミラーを用いてもよい。また、上記第１光学系の光軸を副走査方向にシフトすることで、偏向反射面に向かう光ビームに角度をつけても構わない。
偏向反射面１５により反射された各光束は、ポリゴンミラー４１４の等速回転とともに等角速度的に偏向し、レンズＬ１、Ｌ２を透過して、それぞれ異なる被走査面４１７上に到達する。レンズＬ１、Ｌ２は走査結像光学系４１６を構成し、偏向光束を被走査面４１７に向けて集光する。これにより、各偏向光束は異なる被走査面４１７上に光スポットを形成し、被走査面４１７を光走査する。図９（ｂ）は、ポリゴンミラー４１４の偏向反射面４１５からレンズＬ１、Ｌ２と被走査面４１７との位置関係を示している。
偏向反射面に対し光ビームを直角に入射する方式を水平入射方式とすると、この水平入射方式に対し、上記のように副走査方向に斜めに入射させる従来の方式では、前述のように走査線曲がりが大きいという問題がある。この走査線曲がり発生量は、前記各光ビームの副走査方向の斜入射角により異なり、各々の光ビームで被走査面４１７である感光体表面に描かれた潜像を各色のトナーにより現像して可視化しこれを重ね合わせた際に、色ずれとなって現れてしまう。また、斜め入射することにより、光束が走査レンズ４１６にねじれて入射することで、波面収差も増大し、特に周辺の像高で光学性能が著しく劣化し、ビームスポット径が太ってしまい、高画質化を妨げる要因となる。
【００１２】
本発明においては、走査光学系の少なくとも一面にチルト偏芯面を採用し、波面収差及び走査線曲がりを補正している。走査線曲がりや波面収差の補正は、走査レンズ面を副走査方向にチルト偏芯させることで補正可能である。像高間での副走査方向の走査位置、及び、劣化した波面収差量のバランスを取ることにより、各像高での走査位置や波面収差を補正し、被走査面上での走査線曲がりや波面収差の劣化によるビームスポット径の太りを良好に補正している。
しかし、レンズ面に入射する光束のねじれ量（スキュー量）による波面収差の劣化量や、ポリゴンミラーに斜め入射することによる像高間での物点の副走査方向の変化量、偏向反射面から走査光学系を構成するレンズ面までの距離は、像高間で異なるため、波面収差の補正や走査線曲がりの補正を完全に行うことはできない。そこで本発明は、走査光学系の少なくとも一面に特殊チルト偏芯面を採用することで、さらに良好に波面収差及び走査線曲がりを補正することを可能にしている。
特殊チルト偏芯面とは、像高に応じて偏芯角度（チルト量）が異なる特殊面である。特殊偏芯面のチルト量（偏芯角度）とは、特殊チルト面に対して主走査断面を考えたとき、主走査断面と特殊チルト面との仮想的な交線上における、特殊チルト面の副走査断面形状の接線の傾き角を言う。チルト量が０であるときは、上記接線は主走査断面に直交する。特殊チルト面は、被走査面上における走査線曲がりと波面収差を補正するように形成される。
【図面の簡単な説明】
【００１３】
【図１】本発明の複数段の回転多面鏡を持つ光走査装置の構成図である。
【図２】本発明の複数ビームを平行にできる光走査装置の構成図である。
【図３】本発明の回転軸に対し異なる角度の偏向面を持つ回転多面鏡の構成図である。
【図４】本発明の回転軸に対し対称な偏向面を持つ回転多面鏡の構成図である。
【図５】本発明の回転軸に対する偏向面の法線角度設定の説明図である。
【図６】本発明の偏向面への斜入射による走査線曲がりを示す説明図である。
【図７】主走査方向に沿って副走査方向の異なるチルト偏芯量を与えた特殊チルト偏芯面を示す説明図である。
【図８】本発明を利用した画像形成装置の構成図である。
【図９】本発明を利用した光走査装置の実施の１形態を説明するための図である。
【符号の説明】
【００１４】
１０１  回転多面鏡
１０２、１０３  光ビーム
１０４  光学素子
１０５  偏向手段
１０６  光学素子
１０７、１０８  光ビーム
１０９、１１０  回転多面鏡
２０１  （斜入射）光ビーム
２０２  反射点
２０３  走査線曲がり
３０２  ローラ
３０５  光走査装置
３０６  現像装置
３１１  給紙トレイ
３１４  定着器
３２０Ｙ、３２０Ｍ、３２０Ｃ、３２０Ｋ  感光体
３２１  中間転写ベルト
４１０  半導体レーザ
４１１  カップリングレンズ
４１２  絞り
４１３  シリンドリカルレンズ
４１４  ポリゴンミラー（回転多面鏡）
４１５  偏向反射面
４１６  走査光学系
４１７  被走査面
【図１】
2006065126.tif 000003
【図２】
2006065126.tif 000004
【図３】
2006065126.tif 000005
【図４】
2006065126.tif 000006
【図５】
2006065126.tif 000007
【図６】
2006065126.tif 000008
【図７】
2006065126.tif 000009
【図８】
2006065126.tif 000010
【図９】
2006065126.tif 000011